(57)【要約】【課題】ローカル無線通信が不通状態に陥った際に、不要な通話に対する課金を抑えることができるローカル無線通信を用いたハンズフリー通話システムを提供する。【解決手段】ユーザ音声の入力を受け付ける通信装置側マイク１１１と、相手方音声を出力する通信装置側スピーカ１１２と、ローカル無線通信を行なう通信装置側ローカル無線通信部１１４とを備える通信装置１１と、ローカル無線通信を行なう中継装置側ローカル無線通信部１２３と、ローカル無線通信状態を検出する通信制御部１２２ａと、ネットワーク通信網１３を介して相手方通信装置１４と通信を行なう中継装置側ネットワーク通信部１２４とを備える中継装置１２とからなる。ローカル無線通信状態が不通状態であることが検出されると、中継装置側ネットワーク通信部１２４は相手方通信装置１４と通信を切断する。【選択図】図１
2008092600.tif 000002
【特許請求の範囲】
【請求項１】
通信装置と中継装置とから構成されるハンズフリー通話システムであって、
前記通信装置は、
利用者から音声の入力を受け付ける第１音声入力手段と、
通話相手からの音声を出力する音声出力手段と、
前記中継装置と無線による前記音声の送受信を行なう第１無線通信手段とを備え、
前記中継装置は、
前記通信装置と無線による前記音声の送受信を行なう第２無線通信手段と、
前記第１無線通信手段と前記第２無線通信手段との間における無線通信の通信状態を検出する第１無線通信状態検出手段と、
通話相手の通信装置と通信回線網を介して前記音声の送受信を行なうネットワーク通信手段と、
前記第１無線通信状態検出手段の検出結果に応じて、通話相手の通信装置との通信回線網を介した通話を終了させるネットワーク通信切断手段とを備える
ことを特徴とするハンズフリー通話システム。
【請求項２】
前記中継装置は、さらに、
前記第１無線通信状態を検出した後、経過時間を計測する計時手段を備え、
前記ネットワーク通信切断手段は、
前記第１無線通信状態検出手段が不通状態を検出した後に、前記計時手段が一定時間の経過を計測した場合に、通話相手の通信装置との通信回線網を介した通話を終了させる
ことを特徴とする請求項１記載のハンズフリー通話システム。
【請求項３】
前記中継装置は、さらに、
前記第１無線通信状態検出手段が検出した通信状態が不通状態である場合に、前記通信装置との接続の回復を試みる第１無線通信再試行手段と、
前記第１無線通信再試行手段の再試行回数を計測する試行回数計測手段とを備え、
前記ネットワーク通信切断手段は、
前記第１無線通信状態検出手段が不通状態を検出した後に、前記試行回数計測手段が一定の試行回数を計測した場合に、通話相手の通信装置との通信回線網を介した通話を終了させること
を特徴とする請求項１記載のハンズフリー通話システム。
【請求項４】
前記第１無線通信状態検出手段は、
パケット受信の有無によって、無線通信の通信状態を検出する
ことを特徴とする請求項１記載のハンズフリー通話システム。
【請求項５】
前記第１無線通信状態検出手段は、
電界強度レベルの強弱によって、無線通信の通信状態を検出する
ことを特徴とする請求項１記載のハンズフリー通話システム。
【請求項６】
前記中継装置は、さらに、
前記ネットワーク通信切断手段による通話終了を予め通話相手に通知するメッセージを生成する通話終了メッセージ生成手段と、
通話相手の通信装置に、通信回線網を介して、前記通話終了メッセージ生成手段により生成されたメッセージを送信するネットワーク送信手段とを備える
ことを特徴とする請求項１記載のハンズフリー通話システム。
【請求項７】
前記通信装置は、さらに、
前記第１無線通信手段と前記第２無線通信手段との間における無線通信の通信状態を検出する第２無線通信状態検出手段と、
前記第２無線通信状態検出手段が検出した通信状態が不通状態である場合に、前記中継装置との接続の回復を試みる第２無線通信再試行手段を備える
ことを特徴とする請求項１記載のハンズフリー通話システム。
【請求項８】
前記第２無線通信状態検出手段は、
パケット受信の有無によって、無線通信の通信状態を検出する
ことを特徴とする請求項７記載のハンズフリー通話システム。
【請求項９】
前記第２無線通信状態検出手段は、
電界強度レベルの強弱によって、無線通信の通信状態を検出する
ことを特徴とする請求項７記載のハンズフリー通話システム。
【請求項１０】
前記中継装置は、さらに、
利用者から音声の入力を受け付ける第２音声入力手段と、
前記第１無線通信状態検出手段により検出された無線通信の通信状態が不通状態である場合に、前記第２音声入力手段を選択し、前記通信状態が接続状態である場合に、前記第１音声入力手段を選択する音声入力切替手段とを備え、
前記ネットワーク通信手段は、
通話相手の通信装置に、通信回線網を介して、前記音声入力切替手段によって選択された前記第１音声入力手段または前記第２音声入力手段が受け付けた前記音声を、送信する
ことを特徴とする請求項１記載のハンズフリー通話システム。
【請求項１１】
前記中継装置は、さらに、
前記音声入力切替手段による選択を通話相手に通知するメッセージを生成する音声入力切替メッセージ生成手段を備え、
前記ネットワーク通信手段は、
通話相手の通信装置に、通信回線網を介して、前記音声入力切替メッセージ生成手段により生成されたメッセージを送信する
ことを特徴とする請求項１０記載のハンズフリー通話システム。
【請求項１２】
利用者から音声の入力を受け付ける通信装置から無線により当該音声を受信する中継装置であって、
前記中継装置は、
前記通信装置と無線による音声の送受信を行なう無線通信手段と、
前記通信装置との無線通信の通信状態を検出する無線通信状態検出手段と、
通話相手の通信装置と通信回線網を介して前記音声の送受信を行なうネットワーク通信手段と、
前記無線通信状態検出手段の検出結果に応じて、通話相手の通信装置との通信回線網を介した通話を終了させるネットワーク通信切断手段とを備える
ことを特徴とする中継装置。
【請求項１３】
前記中継装置は、さらに、
前記無線通信状態を検出した後、経過時間を計測する計時手段を備え、
前記ネットワーク通信切断手段は、
前記無線通信状態検出手段が不通状態を検出した後に、前記計時手段が一定時間の経過を計測した場合に、通話相手の通信装置との通信回線網を介した通話を終了させる
ことを特徴とする請求項１２記載の中継装置。
【請求項１４】
前記中継装置は、さらに、
前記無線通信状態検出手段の検出結果に応じて、無線通信が不通状態である場合に、前記通信装置との接続の回復を試みる無線通信再試行手段と、
前記無線通信再試行手段の再試行回数を計測する試行回数計測手段とを備え、
前記ネットワーク通信切断手段は、
前記無線通信状態検出手段が不通状態を検出した後に、前記試行回数計測手段が一定の試行回数を計測した場合に、通話相手の通信装置との通信回線網を介した通話を終了させる
ことを特徴とする請求項１２記載の中継装置。
【請求項１５】
前記中継装置は、さらに、
前記ネットワーク通信切断手段による通話終了を予め通話相手に通知するメッセージを生成する通話終了メッセージ生成手段と、
通話相手の通信装置に、通信回線網を介して、前記通話終了メッセージ生成手段により生成されたメッセージを送信するネットワーク送信手段とを備える
ことを特徴とする請求項１２記載の中継装置。
【請求項１６】
前記中継装置は、さらに、
利用者から音声の入力を受け付ける音声入力手段と、
前記無線通信状態検出手段の検出結果に応じて、前記通信装置からの音声受信と前記音声入力手段のいずれかを選択する音声入力切替手段と、
通話相手の通信装置に、通信回線網を介して、前記音声入力切替手段によって選択された前記通信装置から受信した前記音声または前記音声入力手段が受け付けた前記音声を送信するネットワーク通信手段とを備える
ことを特徴とする請求項１２記載の中継装置。
【請求項１７】
前記中継装置は、さらに、
前記音声入力切替手段による切替を通話相手に通知するメッセージを生成する音声入力切替メッセージ生成手段を備え、
前記ネットワーク通信手段は、
通話相手の通信装置に、通信回線網を介して、前記音声入力切替メッセージ生成手段により生成されたメッセージを送信する
ことを特徴とする請求項１６記載の中継装置。
【請求項１８】
通信装置と中継装置とから構成されるシステムにおけるハンズフリー通話方法であって、
前記通信装置において、
利用者から音声の入力を受け付ける第１音声入力ステップと、
通話相手からの音声を出力する音声出力ステップと、
前記中継装置と無線による前記音声の送受信を行なう第１無線通信ステップとを含み、
前記中継装置において、
前記通信装置と無線による前記音声の送受信を行なう第２無線通信ステップと、
前記第１無線通信ステップと前記第２無線通信ステップとの間における無線通信の通信状態を検出する無線通信状態検出ステップと、
通話相手の通信装置と通信回線網を介して前記音声の送受信を行なうネットワーク通信ステップと、
前記無線通信状態検出ステップの検出結果に応じて、通話相手の通信装置との通信回線網を介した通話を終了させるネットワーク通信切断ステップとを含む
ことを特徴とするハンズフリー通話方法。
【発明の詳細な説明】
【技術分野】
【０００１】
本発明は、ローカル無線通信により通信装置と中継装置との間を接続し、ユーザが通信装置を用い、中継装置を介して相手方通信装置と通話することができるハンズフリー通話システムに関する。ここで、ローカル無線通信とは、例えば、Ｂｌｕｅｔｏｏｔｈ（登録商標）に代表されるような、一定の周波数帯の無線を用いて、近接する装置同士の接続を可能とする近距離無線通信方式をいい、以下、ローカル無線通信をこの意味において用いるものとする。
【背景技術】
【０００２】
従来、無線を用いて通信装置同士を接続し、通信装置同士間における通話を可能とする通信システムが存在し、当該通信システムにおける無線により接続される区間が、電波状態の変化等によって、不通状態となっている場合の対策として、ネットワーク通信網を介して相手方通信装置に代理メッセージを送信する方法が存在する（例えば、特許文献１参照）。
【０００３】
図８は、従来における通信システムの構成を示すブロック図である。
このような通信システムは、通信装置１と、基地局２と、ネットワーク通信網３と、相手方通信装置４とから構成される。
【０００４】
ここで、基地局２は、無線通信部２１と、中央制御部２２と、有線通信部２３と、メッセージ記憶部２４とを備え、相手方通信装置４は、音声入力部４１と音声出力部４２とを備える。
【０００５】
このように構成される従来における通信システムは、以下のような動作を行なう。
まず、通信装置１は、無線通信部２１を介して、基地局２と無線通信を行ない、基地局２は、有線通信部２３を介し、ネットワーク通信網３を通じて、相手方通信装置４と通信を行なう。
【０００６】
ここで、通信装置１と基地局２との無線により接続される区間において、無線通信状態が接続状態にある場合は、基地局２は、無線通信部２１を介して、通信装置１から音声信号を受信し、当該受信した音声信号を、有線通信部２３を介し、ネットワーク通信網３を通じて、相手方通信装置４に送信する。また、基地局２は、ネットワーク通信網３を通じ、有線通信部２３を介して、相手方通信装置４から音声信号を受信し、当該受信した音声信号を、無線通信部２１を介して、通信装置１に送信する。このようにして、無線により接続される区間における無線通信状態が接続状態にある場合は、通信装置１と相手方通信装置４との通話が実現される。
【０００７】
一方、前記無線により接続される区間において、電波状態が変化したり、通信装置１が基地局２の無線通信エリアの圏外にあったりすることによって、無線通信状態が不通状態にある場合は、基地局２は、無線通信部２１によって、通信装置１を検出することができないため、通信装置１との無線通信状態が不通状態にあることを検出し、対応処理を行なう。すなわち、基地局２は、通信装置１との無線通信状態が不通状態にあることを検出すると、中央制御部２２が、メッセージ記憶部２４が予め記憶している「電波の範囲外にあり通信不能です。」等の不在メッセージを生成し、有線通信部２３に当該不在メッセージの送信指示を送り、有線通信部２３が、ネットワーク通信網３を通じて、相手方通信装置４に当該不在メッセージを送信する。
【０００８】
このように、従来における無線を用いた通信システムにおいて、無線により接続される区間が不通状態となっている場合には、中継装置である基地局２が、相手方通信装置４に不在メッセージを送信するという対応策が、一般的に講じられている。
【０００９】
ここで、ローカル無線通信により通信装置と中継装置との間を接続するハンズフリー通話システムにおいて、ローカル無線通信により接続される区間が不通状態となっている場合にも、上記の対応策を講じることが考えられる。
【特許文献１】特開平１１−１４６４６０号公報
【発明の開示】
【発明が解決しようとする課題】
【００１０】
しかしながら、上記の対応策を、前記ハンズフリー通話システムにおけるローカル無線通信により接続される区間の不通状態に適用することは、ローカル無線通信により接続される区間においては、瞬断が多いため、適当ではない。ここで、一般に、瞬断とは、落雷等によって、きわめて短い時間停電することをいうが、ここでいう瞬断とは、電波状況の変化等によって、きわめて短い時間、ローカル無線通信の通信状態が不通状態になることをいう。
【００１１】
すなわち、ローカル無線通信により接続される区間においては、通信状態が、接続状態から短時間の不通状態に陥り、再び接続状態となることが多いため、「電波の範囲外にあり通信不能です。」等の不在メッセージを送信することは、相手方に誤解を生じさせ、中継装置と相手方通信装置とは、通話可能状態であるのに、相手方が通話を切断してしまうおそれがあり、ローカル無線通信により接続される区間に瞬断が生じた場合の対策として、適当といえない。特に、相手方が、ローカル無線通信により通信装置と中継装置との間を接続するハンズフリー通話システムを、ユーザが使用していることを、想定していなければ、瞬断によって生じる通信の途切れ、音声の途切れ等の原因が判断できず、相手方の誤解を招く可能性が高い。
【００１２】
さらに、ローカル無線通信により接続される区間に瞬断が生じて、通信状態が不通状態に陥り、わずかな時間内に、接続状態に回復しない場合であっても、中継装置と相手方通信装置との通話は、継続されたままの状態であるので、通話継続に伴い、通話に対する課金が増加し続けてしまうという問題もある。
【００１３】
そこで、ローカル無線通信により接続される区間に瞬断が生じて、通信状態が不通状態に陥り、わずかな時間内に、接続状態に回復しない場合に、不要な通話に対する課金を抑えることができるローカル無線通信を用いたハンズフリー通話システムを提供することを目的とする。
【課題を解決するための手段】
【００１４】
上記の目的を達成するため、本発明は、以下のような技術的手段を講じている。
すなわち、前記目的を達成するために、本発明は、通信装置と中継装置とから構成されるハンズフリー通話システムであって、前記通信装置は、利用者から音声の入力を受け付ける第１音声入力手段と、通話相手からの音声を出力する音声出力手段と、前記中継装置と無線による前記音声の送受信を行なう第１無線通信手段とを備え、前記中継装置は、前記通信装置と無線による前記音声の送受信を行なう第２無線通信手段と、前記第１無線通信手段と前記第２無線通信手段との間における無線通信の通信状態を検出する第１無線通信状態検出手段と、通話相手の通信装置と通信回線網を介して前記音声の送受信を行なうネットワーク通信手段と、前記第１無線通信状態検出手段の検出結果に応じて、通話相手の通信装置との通信回線網を介した通話を終了させるネットワーク通信切断手段とを備えることを特徴とする。
【００１５】
また、本発明は、このようなハンズフリー通話システムを実現する中継装置の発明として実現することもできる。すなわち、利用者から音声の入力を受け付ける通信装置から無線により当該音声を受信する中継装置であって、前記中継装置は、前記通信装置と無線による音声の送受信を行なう無線通信手段と、前記通信装置との無線通信の通信状態を検出する無線通信状態検出手段と、通話相手の通信装置と通信回線網を介して前記音声の送受信を行なうネットワーク通信手段と、前記無線通信状態検出手段の検出結果に応じて、通話相手の通信装置との通信回線網を介した通話を終了させるネットワーク通信切断手段とを備えることを特徴とする。
【００１６】
さらに、本発明は、これらのハンズフリー通話システムにおける各構成要素をステップとするハンズフリー通話方法として実現することもできる。すなわち、通信装置と中継装置とから構成されるシステムにおけるハンズフリー通話方法であって、前記通信装置において、利用者から音声の入力を受け付ける第１音声入力ステップと、通話相手からの音声を出力する音声出力ステップと、前記中継装置と無線による前記音声の送受信を行なう第１無線通信ステップとを含み、前記中継装置において、前記通信装置と無線による前記音声の送受信を行なう第２無線通信ステップと、前記第１無線通信ステップと前記第２無線通信ステップとの間における無線通信の通信状態を検出する無線通信状態検出ステップと、通話相手の通信装置と通信回線網を介して前記音声の送受信を行なうネットワーク通信ステップと、前記無線通信状態検出ステップの検出結果に応じて、通話相手の通信装置との通信回線網を介した通話を終了させるネットワーク通信切断ステップとを含むことを特徴とする。
【発明の効果】
【００１７】
本発明のハンズフリー通話システムおよびハンズフリー通話システムにおける中継装置によれば、ローカル無線通信により接続される区間における通信状態が、瞬断による不通状態となって、接続の再確立が困難な場合であっても、ユーザからの操作を必要とすることなく、一定時間の経過後に相手方との現存する通話を切断するので、ユーザが気づかずに現存する通話が継続することによる課金増加を防止することができる。
【発明を実施するための最良の形態】
【００１８】
以下、本発明の実施形態について、図面を参照しながら詳細に説明する。
図１は、本発明の実施の形態に係るローカル無線通信を利用したハンズフリー通話システムおよび本システムにおける中継装置の構成を表す機能ブロック図である。
【００１９】
このハンズフリー通話システムは、通信装置と中継装置との間をローカル無線通信により接続し、中継装置を介して、一の通信装置と、遠隔に位置する他の通信装置との間における通話を実現する通信システムであり、通信装置１１と中継装置１２とネットワーク通信網１３と相手方通信装置１４とから構成される。
【００２０】
通信装置１１は、ローカル無線通信機能を備えたハンズフリー通話装置であり、通信装置側マイク１１１と、通信装置側スピーカ１１２と、通信装置制御部１１３と、通信装置側ローカル無線通信部１１４とを備える。ここで、ローカル無線通信機能とは、Ｂｌｕｅｔｏｏｔｈ（登録商標）に代表されるような、一定の周波数帯の無線を用いて、近接する装置同士の接続を可能とする近距離無線通信方式の通信インターフェースを備え、当該通信インターフェースを備える他の装置と無線通信を行なう機能をいう。なお、このローカル無線通信機能によって、ローカル無線通信の接続が確立された通信装置１１と中継装置１２との通信区間を、ローカル無線通信区間というものとする。また、ローカル無線通信の接続確立は、通信装置１１と中継装置１２の間における接続要求パケット、接続要求受領パケットおよび接続確認パケットの送受信によりなされる。そして、ここにいう接続要求パケットとは、装置識別情報と、ローカル無線通信の接続を求める接続要求情報とを含むパケットをいい、接続要求受領パケットとは、装置識別情報と、接続要求パケットを受信したことを示す接続要求パケット受信完了情報とを含むパケットをいい、接続確認パケットとは、ローカル無線通信の接続確立を確認したことを示す接続確立確認情報を含むパケットをいう。さらに、装置識別情報とは、例えば、装置製造番号等のような、一の装置を他の装置が識別することができる情報をいう。
【００２１】
通信装置側マイク１１１は、ユーザからの音声入力を受け付け、入力された音声を音声信号に変換するマイクロフォンであり、音声信号を通信装置制御部１１３に送る。
【００２２】
通信装置側スピーカ１１２は、相手方の音声を出力するスピーカであり、相手方通信装置１４から送信される音声信号を通信装置制御部１１３から受け取り、音声に変換して音声出力を行なう。
【００２３】
通信装置制御部１１３は、通信装置１１を構成する他の各部を制御するＣＰＵ等であり、ハンズフリー通話装置としての機能、例えば、音声信号の送受信機能、ローカル無線通信機能等を制御する。すなわち、この通信装置制御部１１３は、通信装置側ローカル無線通信部１１４への通信指示、音声信号の送信指示や、通信装置側スピーカ１１２への音声出力指示等の処理を行なう。そして、この通信装置制御部１１３は、通信装置マイク切替部１１３ａを備えるとともに、通信装置側ローカル無線通信部１１４から通信状態検出信号を受け取り、当該通信状態検出信号を判断し、通信装置側ローカル無線通信部１１４や通信装置マイク切替部１１３ａに、当該通信状態検出信号の情報に基づいた動作指示を送る。なお、ここで、通信状態検出信号とは、通信装置側ローカル無線通信部１１４と中継装置側ローカル無線通信部１２３との間におけるローカル無線通信区間の通信状態を示す信号である。
【００２４】
通信装置マイク切替部１１３ａは、通信装置側マイク１１１における音声入力受け付けのＯＮまたはＯＦＦの切替を制御する処理部である。この通信装置マイク切替部１１３ａは、通信装置制御部１１３から通信装置側マイク１１１における音声入力受け付けのＯＮまたはＯＦＦへの切替指示を受け取り、通信装置側マイク１１１の音声入力受け付けをＯＮまたはＯＦＦにする処理を行なう。
【００２５】
通信装置側ローカル無線通信部１１４は、中継装置側ローカル無線通信部１２３と、ローカル無線通信を行なうアンテナ等の近距離無線通信方式の通信インターフェースであり、ローカル無線通信区間の通信状態を検出し、通信装置制御部１１３に通信状態検出信号を送る機能を備える。この通信装置側ローカル無線通信部１１４は、中継装置側ローカル無線通信部１２３からのパケット受信の有無によって、ローカル無線通信区間の通信状態が接続状態にあるか、不通状態にあるかを検出し、通信装置制御部１１３に通信状態検出信号を送る。
【００２６】
中継装置１２は、ローカル無線通信機能を備えた携帯電話機であり、中継装置側マイク１２１と、中継装置制御部１２２と、中継装置側ローカル無線通信部１２３と、中継装置側ネットワーク通信部１２４とを備える。なお、この中継装置１２は、一の携帯電話機としても使用されうる。
【００２７】
中継装置側マイク１２１は、ユーザからの音声入力を受け付け、入力された音声を音声信号に変換するマイクロフォンである。この中継装置側マイク１２１は、中継装置１２が、本ハンズフリー通話システムにおける中継装置１２として使用される場合は、ローカル無線通信区間の通信状態に応じて、ユーザからの音声入力を受け付けるか否かを、中継装置マイク切替部１２２ｂの指示に従って切り替えられ、ユーザからの音声入力を受け付けるときは、入力された音声を音声信号に変換して、中継装置制御部１２２に送る。また、中継装置１２が、一の携帯電話機として使用される場合は、携帯電話機のユーザからの音声入力を受け付けて、入力された音声を音声信号に変換して、中継装置制御部１２２に送る。
【００２８】
中継装置制御部１２２は、中継装置１２を構成する他の各部を制御するＣＰＵ等であり、ローカル無線通信機能を備えた携帯電話機としての機能、例えば、発着信機能、ローカル無線通信機能等を制御する。すなわち、この中継装置制御部１２２は、中継装置側ネットワーク通信部１２４への発信指示、着信指示、音声信号の送信指示や、中継装置側ローカル無線通信部１２３への通信指示、音声信号の送信指示等の処理を行なう。そして、この中継装置制御部１２２は、通信制御部１２２ａと、中継装置マイク切替部１２２ｂと、メッセージ生成部１２２ｃと、メッセージ記憶部１２２ｄとを備える。
【００２９】
通信制御部１２２ａは、中継装置側ローカル無線通信部１２３および中継装置側ネットワーク通信部１２４に対する通信制御を行なう処理部であり、中継装置マイク切替部１２２ｂおよびメッセージ生成部１２２ｃに、前記通信制御に伴う指示を送る処理部である。ここで、前記通信制御には、通信状態検出信号の判断、ローカル無線通信区間接続の再確立を試行する指示、通信状態の時間計測等があり、通信制御部１２２ａは、通信状態の時間を計測するためのタイマーを内部に備えている。また、通信制御に伴う指示には、中継装置側マイク１２１における音声入力受け付けのＯＮまたはＯＦＦへの切替指示や通話終了予告メッセージ生成指示等がある。そして、この通信制御部１２２ａは、中継装置側ローカル無線通信部１２３の通信状態検出信号を判断し、当該通信状態検出信号の情報に基づいて、前記通信制御に関する処理および前記通信制御に伴う指示に関する処理を行なう。
【００３０】
中継装置マイク切替部１２２ｂは、中継装置側マイク１２１における音声入力受け付けのＯＮまたはＯＦＦの切替を制御する処理部である。この中継装置マイク切替部１２２ｂは、通信制御部１２２ａから中継装置側マイク１２１における音声入力受け付けのＯＮまたはＯＦＦへの切替指示を受け取り、中継装置側マイク１２１の音声入力受け付けをＯＮまたはＯＦＦにする処理を行ない、また、マイク切替メッセージ生成指示をメッセージ生成部１２２ｃに送る処理を行なう。
【００３１】
メッセージ生成部１２２ｃは、マイク切替メッセージや通話終了予告メッセージを生成する処理部である。ここで、マイク切替メッセージとは、ユーザからの音声入力を受け付けるマイクが、通信装置側マイク１１１から中継装置側マイク１２１に切り替えられたことを、相手方に知らせる文字や音声等をいい、通話終了予告メッセージとは、現存する通話を一定時間後に切断することを、相手方に予め知らせる文字や音声等をいう。このメッセージ生成部１２２ｃは、中継装置マイク切替部１２２ｂからマイク切替メッセージ生成指示を受け取り、マイク切替メッセージを生成し、また、通信制御部１２２ａから通話終了予告メッセージ生成指示を受け取り、通話終了予告メッセージを生成し、通信制御部１２２ａに送る処理を行なう。
【００３２】
メッセージ記憶部１２２ｄは、マイク切替メッセージや通話終了予告メッセージを格納し、前記マイク切替メッセージや前記通話終了予告メッセージを、メッセージ生成部１２２ｃが読み出しできる状態に保持している記憶装置である。
【００３３】
中継装置側ローカル無線通信部１２３は、通信装置側ローカル無線通信部１１４と、ローカル無線通信を行なうアンテナ等の近距離無線通信方式の通信インターフェースであり、ローカル無線通信区間の通信状態を検出し、通信制御部１２２ａに通信状態検出信号を送る機能を備える。なお、この中継装置側ローカル無線通信部１２３は、通信装置側ローカル無線通信部１１４からのパケット受信の有無によって、ローカル無線通信区間の通信状態が接続状態にあるか、不通状態にあるかを検出し、通信制御部１２２ａに通信状態検出信号を送る。
【００３４】
中継装置側ネットワーク通信部１２４は、無線により、基地局等と通信を行なうアンテナや通信インターフェース等からなり、ネットワーク通信網１３を介して、相手方通信装置側ネットワーク通信部１４４と、通信を行なう。
【００３５】
ネットワーク通信網１３は、電話回線等であり、有線回線、無線回線の別を問わず、基地局や電信線をも含めた通信回線である。
【００３６】
相手方通信装置１４は、ネットワーク通信網１３と、無線通信により接続された携帯電話機や有線通信により接続された固定電話機等であり、相手方通信装置側マイク１４１と、相手方通信装置側スピーカ１４２と、相手方通信装置制御部１４３と、相手方通信装置側ネットワーク通信部１４４と、相手方通信装置表示部１４５とを備える。
【００３７】
相手方通信装置側マイク１４１は、相手方からの音声入力を受け付け、入力された音声を音声信号に変換するマイクロフォンであり、音声信号を相手方通信装置制御部１４３に送る。
【００３８】
相手方通信装置側スピーカ１４２は、ユーザの音声を出力するスピーカであり、通信装置１１から送信される音声信号を相手方通信装置制御部１４３から受け取り、音声に変換して音声出力を行なう。
【００３９】
相手方通信装置制御部１４３は、相手方通信装置１４を構成する他の各部を制御するＣＰＵ等であり、携帯電話機等としての機能、例えば、発着信機能、音声信号の送受信機能等を制御する。すなわち、この相手方通信装置制御部１４３は、相手方通信装置側ネットワーク通信部１４４への発信指示、着信指示、音声信号の送信指示や、相手方通信装置側スピーカ１４２への音声出力指示や、相手方通信装置表示部１４５へのマイク切替メッセージおよび通話終了予告メッセージの表示指示等の処理を行なう。
【００４０】
相手方通信装置側ネットワーク通信部１４４は、有線または無線により、基地局等と通信を行なうアンテナや通信インターフェース等からなり、ネットワーク通信網１３を介して、中継装置側ネットワーク通信部１２４と通信を行なう。
【００４１】
相手方通信装置表示部１４５は、電話番号等を表示するディスプレイであり、相手方通信装置側ネットワーク通信部１４４を介して相手方通信装置制御部１４３が受信したマイク切替メッセージや通話終了予告メッセージを表示する。
【００４２】
以上のように構成されたハンズフリー通話システムおよび本システムにおける中継装置の、ローカル無線通信区間に瞬断が生じた時の動作処理について、図面を用いて説明する。
【００４３】
図２は、本発明の実施の形態に係るローカル無線通信を利用したハンズフリー通話システムにおける全体の動作処理の流れを示すフロー図である。
【００４４】
まず、このローカル無線通信を用いたハンズフリー通話システムにおける通話を開始すると、本ハンズフリー通話システムは、通常時における通話動作処理を行なう（Ｓ１）。ここで、通常時における通話動作処理は、以下のような動作となる。
【００４５】
すなわち、通信装置側マイク１１１は、ユーザからの音声入力を受け付け、ユーザの音声を、音声信号に変換して、通信装置制御部１１３に送る。そして、通信装置制御部１１３は、通信装置側ローカル無線通信部１１４に、当該音声信号の送信指示を送り、当該指示に基づいて、通信装置側ローカル無線通信部１１４は、中継装置側ローカル無線通信部１２３に、当該音声信号を送信する。
【００４６】
次に、中継装置側ローカル無線通信部１２３は、受信した前記音声信号を通信制御部１２２ａに送り、通信制御部１２２ａが、中継装置側ネットワーク通信部１２４に、当該音声信号の送信指示を送り、当該指示に基づいて、中継装置側ネットワーク通信部１２４は、ネットワーク通信網１３を介して、相手方通信装置側ネットワーク通信部１４４に、当該音声信号を送信する。
【００４７】
そして、相手方通信装置側ネットワーク通信部１４４は、受信した前記音声信号を相手方通信装置制御部１４３に送り、相手方通信装置制御部１４３が、相手方通信装置側スピーカ１４２に、当該音声信号を送り、相手方通信装置側スピーカ１４２は、当該音声信号を音声に変換して、ユーザの音声を出力する。
【００４８】
一方、相手方通信装置側マイク１４１は、相手方からの音声入力を受け付け、相手方の音声を、音声信号に変換して、相手方通信装置制御部１４３に送る。そして、相手方通信装置制御部１４３は、相手方通信装置側ネットワーク通信部１４４に、当該音声信号の送信指示を送り、当該指示に基づいて、相手方通信装置側ネットワーク通信部１４４は、ネットワーク通信網１３を介して、中継装置側ネットワーク通信部１２４に、当該音声信号を送信する。
【００４９】
次に、中継装置側ネットワーク通信部１２４は、受信した前記音声信号を通信制御部１２２ａに送り、通信制御部１２２ａが、中継装置側ローカル無線通信部１２３に、当該音声信号の送信指示を送り、当該指示に基づいて、中継装置側ローカル無線通信部１２３は、通信装置側ローカル無線通信部１１４に、当該音声信号を送信する。
【００５０】
そして、通信装置側ローカル無線通信部１１４は、受信した前記音声信号を通信装置制御部１１３に送り、通信装置制御部１１３が、通信装置側スピーカ１１２に、当該音声信号を送り、通信装置側スピーカ１１２は、当該音声信号を音声に変換して、相手方の音声を出力する。
【００５１】
このようにして、本ハンズフリー通話システムにおける通常時の通話動作処理は行なわれる。
【００５２】
そして、通信装置制御部１１３は、ユーザから、通信装置１１の通話終了ボタン等を介して、現存する通話を終了する指示を受け取ると（Ｓ２）、当該通話終了指示を、通信装置側ローカル無線通信部１１４を介して、中継装置側ローカル無線通信部１２３に送信する。その後、中継装置側ローカル無線通信部１２３を介して、当該通話終了指示を受信した通信制御部１２２ａは、現存する通話を切断する指示を、中継装置側ネットワーク通信部１２４に送り、当該指示に基づいて、中継装置側ネットワーク通信部１２４は、相手方通信装置１４との通話を切断し、通話が終了する（Ｓ１１）。
【００５３】
ここで、ユーザから、現存する通話を終了する指示がなく（Ｓ２）、通話を継続する場合に、通信装置側ローカル無線通信部１１４と中継装置側ローカル無線通信部１２３とのローカル無線通信区間に瞬断が生じると、通信装置側ローカル無線通信部１１４と中継装置側ローカル無線通信部１２３とが、ローカル無線通信区間の瞬断を検出する（Ｓ３）。そして、通信装置側ローカル無線通信部１１４は、ローカル無線通信が不通状態であることを示す通信状態検出信号を、通信装置制御部１１３に送り、中継装置側ローカル無線通信部１２３は、ローカル無線通信区間が不通状態であることを示す通信状態検出信号を、通信制御部１２２ａに送る。
【００５４】
次に、ローカル無線通信区間が不通状態であることを示す通信状態検出信号を受け取った通信制御部１２２ａは、中継装置側マイク１２１における音声入力受け付けのＯＮへの切替指示を、中継装置マイク切替部１２２ｂに送り、当該切替指示に基づいて、中継装置マイク切替部１２２ｂは、中継装置側マイク１２１における音声入力受け付けをＯＮに切り替えて、ユーザからの音声入力を受け付ける（Ｓ４）。そして、中継装置側マイク１２１は、入力されたユーザの音声を、音声信号に変換し、通信制御部１２２ａに送り、通信制御部１２２ａが、前記音声信号を、中継装置側ネットワーク通信部１２４を介する等して、相手方通信装置側ネットワーク通信部１４４に送信し、相手方通信装置側スピーカ１４２が、前記音声信号を音声に変換して、ユーザの音声を出力する。
【００５５】
他方、ローカル無線通信区間が不通状態であることを示す通信状態検出信号を受け取った通信装置制御部１１３は、通信装置側マイク１１１における音声入力受け付けのＯＦＦへの切替指示を、通信装置マイク切替部１１３ａに送り、当該切替指示に基づいて、通信装置マイク切替部１１３ａは、通信装置側マイク１１１における音声入力受け付けをＯＦＦに切り替えて、ユーザからの音声入力を受け付けない（Ｓ４）。
【００５６】
さらに、中継装置マイク切替部１２２ｂは、中継装置側マイク１２１における音声入力受け付けのＯＮへの切替を実行すると、メッセージ生成部１２２ｃに、マイク切替メッセージの生成指示を送り、当該生成指示に基づいて、メッセージ生成部１２２ｃは、メッセージ記憶部１２２ｄを参照して、マイク切替メッセージを生成する。そして、メッセージ生成部１２２ｃは、生成したマイク切替メッセージを、通信制御部１２２ａに送り、通信制御部１２２ａが、前記マイク切替メッセージの送信指示を、中継装置側ネットワーク通信部１２４に送り、中継装置側ネットワーク通信部１２４は、ネットワーク通信網１３を介して、前記マイク切替メッセージを相手方通信装置側ネットワーク通信部１４４に送信する（Ｓ５）。その後、相手方通信装置側ネットワーク通信部１４４を介して、前記マイク切替メッセージを受信した相手方通信装置制御部１４３は、マイク切替メッセージの表示を行なう指示を、相手方通信装置表示部１４５に送り、相手方通信装置表示部１４５は、前記マイク切替メッセージを表示する。
【００５７】
図３（ａ）は、相手方通信装置１４におけるマイク切替メッセージの表示画面例を表す図である。このように、前記マイク切替メッセージは、例えば、相手方通信装置表示部１４５によって、文字表示され、相手方に音声入力を受け付けるマイクの切替を知らせることができる。
【００５８】
続いて、通信制御部１２２ａは、通信装置側ローカル無線通信部１１４とのローカル無線通信区間接続の再確立を試行する指示を、中継装置側ローカル無線通信部１２３に送り、当該再確立試行指示に基づいて、中継装置側ローカル無線通信部１２３は、通信装置側ローカル無線通信部１１４とのローカル無線通信区間接続の再確立を試行する（Ｓ６）。
【００５９】
ここで、ローカル無線通信区間接続の再確立がなされる場合の動作処理を説明する。
まず、通信制御部１２２ａは、中継装置１２の識別情報と接続要求情報とを含む接続要求パケットを送信する指示を、中継装置側ローカル無線通信部１２３に送り、当該指示に基づいて、中継装置側ローカル無線通信部１２３は、通信装置側ローカル無線通信部１１４に、当該接続要求パケットを通信装置側ローカル無線通信部１１４に送信する。
【００６０】
次に、通信装置側ローカル無線通信部１１４は、中継装置側ローカル無線通信部１２３から前記接続要求パケットを受信すると、当該接続要求パケットに含まれる前記識別情報と前記接続要求情報とを通信装置制御部１１３に送る。そして、通信装置制御部１１３は、前記識別情報と前記接続要求情報とを受け取り、通信装置１１の識別情報と接続要求パケット受信完了情報とを含む接続要求受領パケットを送信する指示を、通信装置側ローカル無線通信部１１４に送り、当該指示に基づいて、通信装置側ローカル無線通信部１１４は、中継装置側ローカル無線通信部１２３に、当該接続要求受領パケットを送信する。
【００６１】
続いて、中継装置側ローカル無線通信部１２３は、通信装置側ローカル無線通信部１１４から前記接続要求受領パケットを受信すると、当該接続要求受領パケットに含まれる前記識別情報と前記受信完了情報とを通信制御部１２２ａに送る。そして、通信制御部１２２ａは、前記識別情報と前記受信完了情報とを受け取り、接続確立確認情報を含む接続確認パケットを送信する指示を、中継装置側ローカル無線通信部１２３に送り、当該指示に基づいて、中継装置側ローカル無線通信部１２３は、通信装置側ローカル無線通信部１１４に、当該接続確認パケットを送信する。ここで、当該接続確認パケットの送信によって、通信制御部１２２ａは、ローカル無線通信区間接続の再確立がなされたことを確認する。
【００６２】
その後、通信装置側ローカル無線通信部１１４は、中継装置側ローカル無線通信部１２３から前記接続確認パケットを受信すると、当該接続確認パケットに含まれる前記接続確立確認情報を、通信装置制御部１１３に送る。そして、通信装置制御部１１３は、前記確立確認情報を受け取り、ローカル無線通信区間接続の再確立がなされたことを確認する。
【００６３】
このような動作処理によって、ローカル無線通信区間接続の再確立がなされた場合（Ｓ７）、中継装置側ローカル無線通信部１２３は、ローカル無線通信区間の通信状態が接続状態にあることを検出し、ローカル無線通信区間が接続状態にあることを示す通信状態検出信号を、通信制御部１２２ａに送り、通信制御部１２２ａは、中継装置マイク切替部１２２ｂに、中継装置側マイク１２１における音声入力受け付けのＯＦＦへの切替指示を送り、当該切替指示に基づいて、中継装置マイク切替部１２２ｂは、中継装置側マイク１２１における音声入力受け付けをＯＦＦに切り替える（Ｓ８）。また、通信装置側ローカル無線通信部１１４は、ローカル無線通信区間の通信状態が接続状態にあることを検出し、ローカル無線通信区間が接続状態にあることを示す通信状態検出信号を、通信装置制御部１１３に送り、通信装置制御部１１３は、通信装置マイク切替部１１３ａに、通信装置側マイク１１１における音声入力受け付けのＯＮへの切替指示を送り、当該切替指示に基づいて、通信装置マイク切替部１１３ａは、通信装置側マイク１１１における音声入力受け付けをＯＮに切り替える（Ｓ８）。
【００６４】
そして、本ハンズフリー通話システムは、通常時における通話動作処理を行ない、上述した諸動作を行なう（Ｓ１）。
【００６５】
このようにして、ローカル無線通信区間に瞬断が生じた場合に、ユーザからの音声入力を受け付けるマイクを、通信装置側マイク１１１から中継装置側マイク１２１に切り替え、そして、ローカル無線通信区間接続の再確立がなされた場合に、ユーザからの音声入力を受け付けるマイクを、再度、通信装置側マイク１１１に切り替えることによって、ユーザからの音声を途切れさせることなく、ローカル無線通信を用いたハンズフリー通話システムによる通話を継続させることができる。
【００６６】
一方、前記動作処理によって、ローカル無線通信区間接続の再確立がなされない場合（Ｓ７）、通信制御部１２２ａは、内部に備えているタイマーによって、一定時間の経過の有無を計測する（Ｓ９）。このとき、一定時間の経過を計測するまで、通信制御部１２２ａは、前記ローカル無線通信区間接続の再確立を試行する指示を、中継装置側ローカル無線通信部１２３に送り、前述の処理を繰り返す（Ｓ６）。
【００６７】
そして、一定時間の経過を計測すると、通信制御部１２２ａは、通話終了予告メッセージ生成指示を、メッセージ生成部１２２ｃに送り、当該通話終了予告メッセージ生成指示に基づいて、メッセージ生成部１２２ｃは、メッセージ記憶部１２２ｄを参照して、通話終了予告メッセージを生成する。次に、メッセージ生成部１２２ｃは、生成した通話終了予告メッセージを、通信制御部１２２ａに送り、通信制御部１２２ａが、前記通話終了予告メッセージの送信指示を、中継装置側ネットワーク通信部１２４に送り、当該送信指示に基づいて、中継装置側ネットワーク通信部１２４は、ネットワーク通信網１３を介して、前記通話終了予告メッセージを相手方通信装置側ネットワーク通信部１４４に送信する（Ｓ１０）。その後、相手方通信装置側ネットワーク通信部１４４を介して、前記通話終了予告メッセージを受信した相手方通信装置制御部１４３は、通話終了予告メッセージ表示を行なう指示を、相手方通信装置表示部１４５に送り、相手方通信装置表示部１４５は、前記通話終了予告メッセージを表示する。
【００６８】
図３（ｂ）は、相手方通信装置１４における通話終了予告メッセージの表示画面例を表す図である。このように、前記通話終了予告メッセージは、例えば、相手方通信装置表示部１４５によって、文字表示され、相手方に現存する通話を切断することを予め知らせることができる。なお、ここで、相手方通信装置表示部１４５の中央下部の数字は、通話が切断されるまでの残り秒数を表している。
【００６９】
その後、通信制御部１２２ａは、内部に備えているタイマーによって、前記通話終了予告メッセージの送信指示を送った後から、一定時間の経過を計測し、当該一定時間を経過すると、現存する通話を切断する指示を中継装置側ネットワーク通信部１２４に送り、当該指示に基づいて、中継装置側ネットワーク通信部１２４は相手方通信装置１４との通話を切断し、通話が終了する（Ｓ１１）。
【００７０】
図４は、本発明に係るローカル無線通信を用いたハンズフリー通話システムにおいて、ローカル無線通信区間に瞬断が生じた後、接続の再確立がなされる場合における本システムを構成する各装置の動作処理の流れを示すシーケンス図である。
【００７１】
まず、通信装置１１と中継装置１２とのローカル無線通信区間の瞬断が検出される前においては、前述したように、ローカル無線通信を用いたハンズフリー通話システムは、通常時における通話動作処理を行なう（Ｓ２１）。
【００７２】
次に、ローカル無線通信区間に瞬断が生じると、通信装置１１は、通信装置側ローカル無線通信部１１４によって、ローカル無線通信区間の通信状態が不通状態にあることを検出し、中継装置１２は、中継装置側ローカル無線通信部１２３によって、ローカル無線通信区間の通信状態が不通状態にあることを検出する（Ｓ２２）。
【００７３】
続いて、通信装置１１は、通信装置マイク切替部１１３ａによって、通信装置側マイク１１１における音声入力受け付けのＯＦＦへの切替を実行し、中継装置１２は、中継装置マイク切替部１２２ｂによって、中継装置側マイク１２１における音声入力受け付けのＯＮへの切替を実行する（Ｓ２３）。
【００７４】
その後、中継装置１２は、メッセージ生成部１２２ｃによって、マイク切替メッセージを生成し、生成したマイク切替メッセージを相手方通信装置１４に送信し、相手方通信装置１４は、相手方通信装置表示部１４５を介して、前記マイク切替メッセージを表示する（Ｓ２４）。
【００７５】
そして、中継装置１２は、通信装置１１に向けて接続要求パケットを送信し、ローカル無線通信区間接続の再確立を数回試行する（Ｓ２５）とともに、中継装置側マイク１２１を介して、ユーザからの音声入力を受け付け、音声信号に変換して、相手方通信装置１４に送信し、相手方通信装置１４は、前記音声信号を受信し、相手方通信装置側スピーカ１４２を介して、音声に変換して、ユーザの音声を出力し（Ｓ２６）、中継装置１２がローカル無線通信区間接続の再確立を試行する間、中継装置１２と相手方通信装置１４は、この処理を繰り返す。
【００７６】
このとき、通信装置１１が、中継装置１２から接続要求パケットを受信すると、接続要求受領パケットを中継装置１２に送信する。そして、中継装置１２が、前記接続要求受領パケットを受信すると、接続確認パケットを通信装置に送信する。このようにして、通信装置１１と中継装置１２とのローカル無線通信区間接続の再確立がなされ（Ｓ２７）、通信装置１１は、通信装置側ローカル無線通信部１１４によって、ローカル無線通信区間の通信状態が接続状態であることを検出し、中継装置１２は、中継装置側ローカル無線通信部１２３によって、ローカル無線通信区間の通信状態が接続状態であることを検出する（Ｓ２８）。
【００７７】
そして、通信装置１１は、通信装置マイク切替部１１３ａによって、通信装置側マイク１１１における音声入力受け付けのＯＮへの切替を実行する（Ｓ２９）。また、中継装置１２は、中継装置マイク切替部１２２ｂによって、中継装置側マイク１２１における音声入力受け付けのＯＦＦへの切替を実行する（Ｓ２９）。
【００７８】
その後、通信装置１１、中継装置１２および相手方通信装置１４は、再びローカル無線通信区間に瞬断が生じる前においては、前述した本ハンズフリー通話システムの通常時における通話動作処理を繰り返し（Ｓ２１）、再びローカル無線通信区間に瞬断が生じると、前述した本ハンズフリー通話システムの、ローカル無線通信区間に瞬断が生じた場合における動作処理を繰り返す。
【００７９】
図５は、本発明に係るローカル無線通信を用いたハンズフリー通話システムにおいて、ローカル無線通信区間に瞬断が生じた後、接続の再確立がなされない場合における本システムを構成する各装置の動作処理の流れを示すシーケンス図である。
【００８０】
まず、上記のローカル無線通信区間の瞬断を検出した後、接続再確立が検出される場合における動作処理と同様に、通信装置１１、中継装置１２および相手方通信装置１４は、再びローカル無線通信区間の瞬断が検出される前においては、前述したように、本ハンズフリー通話システムの通常時における通話動作処理を行ない（Ｓ３１）、通信装置１１と中継装置１２とのローカル無線通信区間に瞬断が生じると、通信装置１１は、通信装置側ローカル無線通信部１１４によって、ローカル無線通信区間の通信状態が不通状態にあることを検出し、中継装置１２は、中継装置側ローカル無線通信部１２３によって、ローカル無線通信区間の通信状態が不通状態にあることを検出する（Ｓ３２）。
【００８１】
そして、上記の動作処理と同様に、通信装置１１は、通信装置マイク切替部１１３ａによって、通信装置側マイク１１１における音声入力受け付けのＯＦＦへの切替を実行し、中継装置１２は、中継装置マイク切替部１２２ｂによって、中継装置側マイク１２１における音声入力受け付けのＯＮへの切替を実行する（Ｓ３３）。そして、中継装置１２は、メッセージ生成部１２２ｃによって、マイク切替メッセージを生成し、生成したマイク切替メッセージを相手方通信装置１４に送信し、相手方通信装置１４は、相手方通信装置表示部１４５を介して、前記マイク切替メッセージを表示する（Ｓ３４）。
【００８２】
さらに、上記の動作処理と同様に、中継装置１２は、通信装置１１に向けて接続要求パケットを送信し、ローカル無線通信区間接続の再確立を数回試行する（Ｓ３５）とともに、中継装置側マイク１２１を介して、ユーザからの音声入力を受け付け、音声信号に変換して、相手方通信装置１４に送信し、相手方通信装置１４は、前記音声信号を受信し、相手方通信装置側スピーカ１４２を介して、音声に変換して、ユーザの音声を出力し（Ｓ３６）、中継装置１２がローカル無線通信区間接続の再確立を試行する間、中継装置１２と相手方通信装置１４は、この処理を繰り返す。
【００８３】
その後、中継装置１２は、内部に備えているタイマーによって、ローカル無線通信区間の不通状態を検出してから、一定時間ｔ１の経過を計測すると、メッセージ生成部１２２ｃによって、通話終了予告メッセージを生成し、生成した通話終了予告メッセージを相手方通信装置１４に送信し、相手方通信装置１４は、相手方通信装置表示部１４５を介して、前記通話終了予告メッセージを表示する（Ｓ３７）。さらに、中継装置１２は、内部に備えているタイマーによって、前記通話終了予告メッセージを送信してから、一定時間ｔ２の経過を計測すると、相手方通信装置１４との通話を切断する（Ｓ３８）。そして、中継装置１２は、相手方通信装置１４との通話を切断した後においても、次の通話に備えて、通信装置１１に向けて接続要求パケットを送信し、ローカル無線通信区間接続の再確立試行を続ける（Ｓ３９）。
【００８４】
図６は、本発明に係るローカル無線通信を用いたハンズフリー通話システムにおける音声入力を受け付けるマイクの切替状況を示すタイミングチャート図である。
【００８５】
まず、本ハンズフリー通話システムにおける通話を開始すると、通信装置マイク切替部１１３ａは、通信装置側マイク１１１における音声入力受け付けをＯＮに切り替える。
【００８６】
次に、通信装置１１と中継装置１２とのローカル無線通信区間に瞬断が生じた時、通信装置マイク切替部１１３ａは、通信装置側マイク１１１における音声入力受け付けをＯＦＦに切り替え、中継装置マイク切替部１２２ｂは、中継装置側マイク１２１における音声入力受け付けをＯＮに切り替える。
【００８７】
そして、ローカル無線通信区間接続の再確立がなされた時、通信装置マイク切替部１１３ａは、通信装置側マイク１１１における音声入力受け付けをＯＮに切り替え、中継装置マイク切替部１２２ｂは、中継装置側マイク１２１における音声入力受け付けをＯＦＦに切り替える。
【００８８】
続いて、再びローカル無線通信区間に瞬断が生じた時、上述したように、通信装置マイク切替部１１３ａは、通信装置側マイク１１１における音声入力受け付けをＯＦＦに切り替え、中継装置マイク切替部１２２ｂは、中継装置側マイク１２１における音声入力受け付けをＯＮに切り替える。
【００８９】
その後、一定時間ｔ３の経過後、ローカル無線通信区間接続の再確立がなされなければ、本ハンズフリー通話システムにおける通話が切断された時、中継装置マイク切替部１２２ｂは、中継装置側マイク１２１における音声入力受け付けをＯＦＦに切り替える。
【００９０】
図７は、本発明に係るローカル無線通信を用いたハンズフリー通話システムの一の使用例である車載用ハンズフリー通話システムの外観図である。
【００９１】
この車載用ハンズフリー通話システムは、自動車の車内において、ローカル無線通信を用いたハンズフリー通話を可能とするものであり、通信装置１１における通信装置制御部１１３と通信装置側ローカル無線通信部１１４に対応するハンズフリー制御装置１００と、通信装置１１における通信装置側マイク１１１に対応する車載用ハンズフリーマイク１０１と、通信装置１１における通信装置側スピーカ１１２に対応する車載用スピーカ１０２と、中継装置１２に対応する携帯電話機２００とから構成される。
【００９２】
すなわち、ハンズフリー制御装置１００と携帯電話機２００とが、ローカル無線通信によって接続され、このローカル無線通信区間の通信状態が接続状態においては、話し手である運転者の音声を、車載用ハンズフリーマイク１０１が、音声入力を受け付けて音声信号に変換し、ハンズフリー制御装置１００が、当該音声信号をローカル無線通信によって、携帯電話機２００に送信し、携帯電話機２００が、通話の相手方に送信する。そして、通話の相手方の音声を、携帯電話機２００が受信し、ローカル無線通信によって、ハンズフリー制御装置１００に送信し、車載用スピーカ１０２が、音声出力をする。
【００９３】
そして、前記ローカル無線通信区間に瞬断が生じると、携帯電話機２００は、運転者からの音声入力を受け付けるマイクを、車載用ハンズフリーマイク１０１から携帯電話機２００のマイクに切り替えて、運転者の音声を、通話の相手方に送信し、ハンズフリー制御装置１００とのローカル無線通信接続の再確立を試行する。
【００９４】
その後、ハンズフリー制御装置１００とのローカル無線通信接続の再確立がなされると、携帯電話機２００は、運転者からの音声入力を受け付けるマイクを、携帯電話機２００のマイクから車載用ハンズフリーマイク１０１に切り替えて、上述のように、運転者の音声を、車載用ハンズフリーマイク１０１が、音声入力を受け付けて音声信号に変換し、ハンズフリー制御装置１００が、当該音声信号をローカル無線通信によって、携帯電話機２００に送信し、携帯電話機２００が、通話の相手方に送信する。
【００９５】
一方、ハンズフリー制御装置１００とのローカル無線通信接続の再確立が、一定時間経過後においてなされない場合、携帯電話機２００は、現存する通話を切断する。
【００９６】
このように、本発明は、例えば、車載用ハンズフリー通話システムとして、実現されるものであり、この車載用ハンズフリー通話システムによれば、運転者であるユーザは、携帯電話機２００をハンズフリー制御装置１００と有線によって接続しないで、ハンズフリー通話が可能となるだけでなく、前記携帯電話機２００と前記ハンズフリー制御装置１００との間におけるローカル無線通信に瞬断が生じた場合であっても、通話の相手方に運転者の音声を送信し、相手方が抱く違和感を低く抑えることができる。
【００９７】
また、前記携帯電話機２００と前記ハンズフリー制御装置１００との間におけるローカル無線通信の不通状態が、数十秒、数分間継続する場合であっても、一定時間の経過後に、現存する通話を切断し、不要な通話に対する課金を抑えることができる。
【００９８】
これまで説明したように、本実施の形態によれば、ローカル無線通信を用いたハンズフリー通話システムにおいて、ローカル無線通信区間に瞬断が生じた場合であっても、ユーザからの音声入力を受け付けるマイクを中継装置側マイク１２１に切り替えることによって、通信の途切れ、ユーザ音声の途切れ等に対する相手方の違和感を低減することができる。
【００９９】
また、ローカル無線通信区間に瞬断が生じ、ローカル無線通信区間接続の再確立が困難な場合であっても、一定時間を経過すると、通話を切断することによって、ユーザが、通話の継続に気づかず、通話に対する課金の不測の増加を防ぐことができる。
【０１００】
以上、本発明に係るローカル無線通信を用いたハンズフリー通話システムについて、実施の形態に基づいて説明したが、本発明は、上記実施の形態に限定されるものではない。
【０１０１】
例えば、上記実施の形態では、通信装置側ローカル無線通信部１１４と中継装置側ローカル無線通信部１２３は、パケット受信の有無によって、ローカル無線通信区間の通信状態を検出することとしているが、通信装置側ローカル無線通信部１１４と中継装置側ローカル無線通信部１２３における電界強度レベルによって、ローカル無線通信区間の通信状態を検出することとしてもよい。
【０１０２】
また、上記実施の形態では、マイク切替メッセージと通話終了予告メッセージとを、相手方通信装置１４における相手方通信装置表示部１４５が、文字表示することとしているが、中継装置１２におけるメッセージ生成部１２２ｃにおいて、前記マイク切替メッセージと前記通話終了予告メッセージとを音声信号により生成し、当該音声信号を相手方通信装置１４に送信し、相手方通信装置１４における相手方通信装置側スピーカ１４２が、当該音声信号を音声に変換し、ユーザの音声と重畳させて、音声出力することとしてもよい。
【０１０３】
さらに、上記実施の形態では、相手方通信装置１４に送信するマイク切替メッセージを、通信装置側マイク１１１から中継装置側マイク１２１に切り替えた時のみ送信することとしているが、接続の再確立がなされ、中継装置側マイク１２１から通信装置側マイク１１１に切り替えたときにおいても送信することとしてもよい。
【０１０４】
そして、上記実施の形態では、ローカル無線通信区間に瞬断が生じた場合に、ローカル無線通信区間接続の再確立試行のため、中継装置１２から通信装置１１に向けて、接続要求パケットおよび接続確認パケットを送信し、通信装置１１から中継装置１２に向けて、接続要求受領パケットを送信することとしているが、反対に、通信装置１１から中継装置１２に向けて、接続要求パケットおよび接続確認パケットを送信し、中継装置１２から通信装置１１に向けて、接続要求受領パケットを送信することとしてもよい。
【０１０５】
さらにまた、上記実施の形態では、ローカル無線通信区間に瞬断が生じた場合に、中継装置１２が、通話終了予告メッセージを、相手方通信装置１４に送信する条件を、ローカル無線通信区間の不通状態を検出してから、一定時間の経過後に、ローカル無線通信区間の接続状態の検出をしない場合としているが、一定回数のローカル無線通信区間接続の再確立試行を行なった後に、ローカル無線通信区間の接続状態の検出をしない場合としてもよい。同様に、中継装置１２が、相手方通信装置１４との通話を切断する条件を、通話終了予告メッセージを相手方通信装置１４に送信してから、一定回数のローカル無線通信区間接続の再確立試行を行なった後としてもよい。
【０１０６】
また、ローカル無線通信区間の不通状態を検出してから、一定時間の経過後に、中継装置１２は、通話終了予告メッセージを送信し、通話を切断することとしているが、中継装置１２による通話切断の前段階において、ユーザからの通話続行指示を中継装置１２が受け取ると、通話を切断しないで、ユーザは、中継装置１２を用いて通話を継続することができることとしてもよい。
【産業上の利用可能性】
【０１０７】
本発明に係るハンズフリー通話システムは、例えば、携帯電話等の携帯端末と共に用いる車載装置として利用できる。
【図面の簡単な説明】
【０１０８】
【図１】本発明の実施の形態に係るローカル無線通信を利用したハンズフリー通話システムおよび同システムにおける中継装置の構成を示すブロック図である。
【図２】同システムにおける全体の動作処理の流れを示すフロー図である。
【図３】（ａ）は、相手方通信装置におけるマイク切替メッセージの表示画面例を表す図であり、（ｂ）は、相手方通信装置における通話終了予告メッセージの表示画面例を表す図である。
【図４】ローカル無線通信により接続される区間に瞬断が生じた後、接続の再確立がされる場合における同システムを構成する各装置の動作処理の流れを示すシーケンス図である。
【図５】ローカル無線通信により接続される区間に瞬断が生じた後、接続の再確立がされない場合における同システムを構成する各装置の動作処理の流れを示すシーケンス図である。
【図６】同システムにおける音声入力を受け付けるマイクの切替状況を示すタイミングチャート図である。
【図７】同システムの使用例を表す図である。
【図８】従来における通信システムの構成を示すブロック図である。
【符号の説明】
【０１０９】
１、１１  通信装置
２  基地局
３、１３  ネットワーク通信網
４、１４  相手方通信装置
１２  中継装置
１００  ハンズフリー制御装置
１０１  車載用ハンズフリーマイク
１０２  車載用スピーカ
１１１  通信装置側マイク
１１２  通信装置側スピーカ
１１３  通信装置制御部
１１３ａ  通信装置マイク切替部
１１４  通信装置側ローカル無線通信部
１２１  中継装置側マイク
１２２  中継装置制御部
１２２ａ  通信制御部
１２２ｂ  中継装置マイク切替部
１２２ｃ  メッセージ生成部
１２２ｄ  メッセージ記憶部
１２３  中継装置側ローカル無線通信部
１２４  中継装置側ネットワーク通信部
１４１  相手方通信装置側マイク
１４２  相手方通信装置側スピーカ
１４３  相手方通信装置制御部
１４４  相手方通信装置側ネットワーク通信部
１４５  相手方通信装置表示部
２００  携帯電話機
【図１】
2008092600.tif 000003
【図２】
2008092600.tif 000004
【図３】
2008092600.tif 000005
【図４】
2008092600.tif 000006
【図５】
2008092600.tif 000007
【図６】
2008092600.tif 000008
【図７】
2008092600.tif 000009
【図８】
2008092600.tif 000010